(57)【要約】【課題】この発明の課題は、内蔵型の電池パックで電池パック側が平板電極でこれに突き出す構造で接触するピン電極を採用した電気機器本体側の電子回路に好適で、何らかの衝撃が付加されてもピン電極と平板電極が離れて電子回路に瞬断が生じないようにした電池パックサイズの補正構造を提供するものである。【解決手段】電池パック本体の１辺に該電池パック本体と一体的なサイズ補正の凸状体を設けてなることを特徴とする電池パックサイズの補正構造。【選択図】    図１
2006049159.tif 000002
【特許請求の範囲】
【請求項１】
扁平で角型の二次電池と、該二次電池を収納する上蓋と下蓋とから構成され前記二次電池と相似形の電池パック本体と、該電池パック本体の１辺に該電池パック本体と一体的な凸状体を設けてなることを特徴とする電池パックサイズの補正構造。
【請求項２】
扁平で角型の二次電池と、該二次電池を収納する上蓋と下蓋とから構成され前記二次電池と相似形の電池パック本体と、該電池パック本体の隣り合う２辺に該電池パック本体と一体的な凸状体を設けてなることを特徴とする電池パックサイズの補正構造。
【請求項３】
扁平で角型の二次電池と、該二次電池を収納する上蓋と下蓋とから構成され前記二次電池と相似形の電池パック本体と、該電池パック本体の隣り合う二辺であって該２辺で挟まれる隅に近ずけて前記電池パック本体に凸状体を設けたことを特徴とする電池パックサイズの補正構造。
【請求項４】
前記の突状体は一つの辺に対して複数個を設けてなることを特徴とした請求項１，２，３記載の電池パックサイズの補正構造。
【請求項５】
前記の突状体は前記上蓋又は下蓋に設けてなることを特徴とする請求項１，２，３，４記載の電池パックサイズの補正構造。
【発明の詳細な説明】
【技術分野】
【０００１】
この発明は、電池パックに係り、主に電子機器に内蔵される所謂内蔵型の電池パックサイズの補正構造に関する。
【背景技術】
【０００２】
最近、携帯電話機器は小型、軽量でしかも移動中でもほとんどのエリアでコミニケーションができ、非常に利便性が高いため急速に普及している。この携帯電話機器には技術進歩で連続使用時間も長くなった二次電池が保護回路とともにパック化され電池パックとして大いに利用されている。この電池パックは電子機器本体に内蔵される内蔵タイプと、電子機器本体の外観と一体的に外観形成する所謂外付けタイプに分けられる。いずれも電子機器本体の電子回路への電気的結合の確実性と構造的結合の確実性とが計れる構造が採用されている。しかし特に内蔵型の電池パックは電子機器本体内の電子回路の電極と電気的に結合するので何らかの衝撃で互いの電極が開放しないようにする必要がある。つまり電子機器の電子回路の電極と電池パックの電極が一瞬的に解放する所謂瞬断が生じると電池パックの電力が電子機器本体の電子回路に給電されなくなり電子回路に悪影響が生じてしまうことになる。
【特許文献１】特開平９−５５１９６
【発明の開示】
【発明が解決しようとする課題】
【０００３】
そこで、この発明の課題は内蔵型の電池パックで電池パック側が平板電極でこれに突き出す構造で接触するピン電極を採用した電気機器本体側の電子回路に好適で、何らかの衝撃が付加されてもピン電極と平板電極が離れて電子回路に瞬断が生じないようにした電池パックサイズの補正構造を提供するものである。
【課題を解決するための手段】
【０００４】
この発明は、上記の課題を解決するために、次のような構成要素を備えている。
請求項１に記載の発明は、図１〜図４に示すように、電池パック本体の１辺に該電池パック本体と一体的なサイズ補正の凸状体を設けてなることを特徴とする電池パックサイズの補正構造である。
【０００５】
請求項２に記載の発明は、図１〜図４に示すように、扁平で角型の二次電池と、該二次電池を収納する上蓋と下蓋とから構成され前記二次電池と相似形の電池パック本体と、該電池パック本体の隣り合う２辺に該電池パック本体と一体的なサイズ補正の凸状体を設けてなることを特徴とする電池パックサイズの補正構造である。
【０００６】
請求項３に記載の発明は、図１〜図４に示すように、電池パック本体の隣り合う２辺であって該２辺で挟まれる隅に近ずけて該電池パック本体に凸状体を設けてなることを特徴とする電池パックサイズの補正構造である。
【０００７】
請求項４、５に記載の発明は、突状体を一つの辺に対して複数個設けてなる場合と、凸状体を上蓋又は下蓋に設けてなることを特徴とする電池パックサイズの補正構造である。
【発明の効果】
【０００８】
請求項１に記載の発明によれば、凸状体が電池パック収納個所に強制的に挿入されるから電池パックは電池パック収納個所に振動する隙間無く収納され、従って何らかの衝撃でも電子機器本体の電子回路と電池パックとの瞬断が生じることはないものである。
【０００９】
請求項２に記載の発明によれば、電池パック本体の隣り合う２辺に凸状体を設けているからX-Y方向にサイズ調整され電池パック収納個所内で電池パックは振動することなく従って何らかの衝撃で電極相互が離れることは無くなる。
【００１０】
請求項３に記載の発明によれば、突状体を二辺の隅に近ずけて設けているから一層X−Y方向の何らかの振動で電池パック本体が振動して電極が離れることはないものである。
【００１１】
請求項４、５に記載の発明によれば、請求項４は複数個設けることで振動しないことを確実なものにでき、請求項５は上蓋又は下蓋のいずれでも形成できることで電池パック本体を振動させない効果がある。
【発明を実施するための最良の形態】
【００１２】
（実施形態１）
以下、この発明の実施形態１を添付図面、図１、図２、図３に基づいて説明する。
図１の１はプラスチック等の樹脂性でなる電池パックの下蓋で、之に嵌合する上蓋２を形成する。この両蓋１，２内には扁平な角形で充電機能がある電池３が収納される。この電池３には電極４があって、この電極４は上蓋２及び下蓋１で構成される電池パック本体５の一面に外部に露出して設けられる。
【００１３】
前記電極４は平板な電極でこの電極は電池３の極に電気的に接続されている。また、電極４には電子機器本体の電子回路に電気的に接続したピン電極６が後ろから弾力的に押されて接触している。したがって、ピン電極６の先端は電極４に垂直に当接した構造になっていて電気的に導通している。
【００１４】
図３はこの箇所の拡大図である。このようなピン電極６は何らかの振動で電極４から離れることが生じるので前期電池パック本体５の下蓋１の側面に電池パック本体５と同材の円弧形状の突状体７を一体的に形成する。
【００１５】
この突状体７は、電子機器本体の電池パック本体５が収納される収納箇所８に収納する際、電池パック本体５は予め収納個所より小さめで且つ突状体７箇所は収納個所８よりやや大きめに設計してあるから収納個所８内で強制的に矢印A方向に電池パック本体５が押され変形され緊密状態で収納が終了する。従って何らかの衝撃でも電子機器本体の電子回路のピン電極６と平板な電極４とは離れ所謂瞬断が生じることはないものである。
【００１６】
（実施形態２）
次に、図１、図２、図３を参照してこの発明の実施形態２について説明する。なお実施形態１と同一箇所は同一符号を付して説明を省略する。
前記電池パック本体５の２辺には突状体１０を一体的に形成する。このように形成した電池パック本体５は内部に充電可能な電池３を収納していて、この平板電極４は電池パック本体５から外部に露出している。
【００１７】
このように突状体１０を２辺に形成した電池パック本体５を電子機器本体の収納箇所８に収納する場合、電池パック本体５は予め収納個所８より小さめで且つ突状体７箇所は収納個所８よりやや大きめに設計してあるから収納個所８内で強制的にX-Y方向すなわち矢印A-B方向に電池パック本体５が押され変形され緊密状態で収納が終了する。従って何らかの衝撃でも電子機器本体の電子回路のピン電極６と平板な電極４とは離れ所謂瞬断が生じることはないものである。
【００１８】
（実施形態３）
次に、図１、図２、図３、図４を参照してこの発明の実施形態３のついて説明する。なお実施形態１及び実施形態２の説明と同一部分は同一符号を付して説明を省略する。
前記実施形態２では突状体１０を２辺の中央箇所に電池パック本体５と一体的に形成したが、前記突状体１０を２辺の隅に近い箇所に形成してもよいものである。
【００１９】
このように突状体１０を２辺の隅に形成した電池パック本体５を電子機器本体の収納箇所８に収納する場合、電池パック本体５は予め収納個所８より小さめで且つ突状体７箇所は収納個所８よりやや大きめに設計してあるから収納個所８内で強制的にX-Y方向すなわち矢印A-B方向に電池パック本体５が押され変形され緊密状態で収納が終了する。
【００２０】
従って何らかの衝撃でも電子機器本体の電子回路のピン電極６と平板な電極４とは離れ所謂瞬断が生じることはないものである。
これによっていっそう矢印A及びB方向に押されることになるものである。即ち、実施形態２の２辺の中央箇所に構造的に形成できない時は隅に形成できるものである。
【００２１】
尚、実施形態１，２，３には示さなかったが電池パック本体５の側面の１辺又は２辺に小さな突出状の突き出しをした形状を形成し、これで収納個所８に収納磨る際、強制的に挿入すれば各実施形態と同様に緊密に収納でき振動に対して振動することなく瞬断が生じないものである。
【図面の簡単な説明】
【００２２】
【図１】この発明を電池パックに適用した場合の斜視図。（実施形態１）
【図２】電池パックを電子機器本体に収納した際の斜視図。（実施形態１，２、３）
【図３】この発明の要部の拡大斜視図。（実施形態１，２，３）
【図４】この発明を電池パックに適用した場合の斜視図。（実施形態３）
【符号の説明】
【００２３】
１  下蓋
２  上蓋
３  電池
４  平板電極
５  電池パック
６  ピン電極
７  １０  １１突状体
８  収納箇所
【図１】
2006049159.tif 000003
【図２】
2006049159.tif 000004
【図３】
2006049159.tif 000005
【図４】
2006049159.tif 000006